(57)【特許請求の範囲】
【請求項１】
用紙の一面に印刷する第１の印刷手段と、
該一面が印刷された用紙を複数枚貯留する貯留部と、
前記用紙の他面に印刷する第２の印刷手段と、
前記第１の印刷手段により一面が印刷された用紙を順次前記貯留部に搬送する第１の搬送手段と、
前記貯留部に貯留された複数枚の用紙を順次前記第２の印刷手段に搬送する第２の搬送手段とを備え、
前記貯留部が、前記一面が印刷された複数枚の用紙を互いに所定間隔を空けて重ねた状態で保持する保持機構を備えていることを特徴とする両面印刷装置。
【請求項２】
前記貯留部が、前記第１の搬送手段により搬送されてきた前記用紙が搬入される搬入位置と、貯留されている前記用紙を前記第２の搬送手段に受け渡す搬出位置とを所定間隔を空けて有し、
前記保持機構が、前記搬入位置に搬入された各用紙を順次保持して互いに所定間隔を空けて重ねた状態で前記搬入位置から前記搬出位置に向けて移動させるものであることを特徴とする請求項１記載の両面印刷装置。
【請求項３】
前記保持機構が、前記複数枚の用紙を立たせると共に左右方向の断面が前記一面を内側にして湾曲するようにカールさせた状態で、各用紙の下端を互いに所定間隔を空けて重ねて支持するものであることを特徴とする請求項１又は２記載の両面印刷装置。
【請求項４】
前記保持機構が、前記複数枚の用紙を立たせた状態で各用紙の下端を互いに所定間隔を空けて支持する下端支持手段と、該下端支持手段により下端が支持された前記用紙に対して左右方向の断面が前記一面を内側にして湾曲するカールを付与するカール付与手段とを備えてなることを特徴とする請求項３記載の両面印刷装置。
【請求項５】
前記貯留部が、前記第１の搬送手段により搬送されてきた前記用紙が搬入される搬入位置と、貯留されている前記用紙を前記第２の搬送手段に受け渡す搬出位置とを所定間隔を空けて有し、
前記下端支持手段が、前記搬入位置に搬入された前記用紙の下端を支持して該用紙を順次前記搬出位置に向けて移動させるものであることを特徴とする請求項４記載の両面印刷装置。
【請求項６】
前記下端支持手段が、下端を支持した前記用紙を該用紙の前記一面が向く方向に移動させるものであることを特徴とする請求項５記載の両面印刷装置。
【請求項７】
前記下端支持手段が、所定間隔を空けて前記用紙の移動方向に配列された複数個の凹部を備え、該凹部で前記用紙の下端を支持すると共に、該凹部を前記用紙の移動方向に移動させることで前記用紙を移動させるものであることを特徴とする請求項５又は６記載の両面印刷装置。
【請求項８】
前記下端支持手段が、前記用紙の移動方向に延びるネジ棒であって、該ネジ棒に形成されているネジ溝で前記用紙の下端を支持すると共に、該ネジ棒を回転させることで前記用紙を移動させるものであることを特徴とする請求項５又は６記載の両面印刷装置。
【請求項９】
前記下端支持手段が、所定間隔を空けて前記用紙の移動方向に配列された複数個の前記用紙の下端を把持する開閉可能なクランプ部を備え、該クランプ部で前記用紙の下端を把持すると共に、該クランプ部を前記用紙の移動方向に移動させることで前記用紙を移動させるものであることを特徴とする請求項５又は６記載の両面印刷装置。
【請求項１０】
前記カール付与手段が、前記搬入位置に搬入される用紙をその左右方向の断面が前記一面を内側にして湾曲するようにカールさせるべく、搬入される前記用紙の左右側部を中央部よりも前記一面側に向けて押し出すガイド部材であることを特徴とする請求項４〜９のいずれか１項記載の両面印刷装置。
【請求項１１】
前記用紙の前記一面の印刷率に基づいて、前記用紙の前記貯留部への搬入時から前記貯留部からの搬出時までの貯留時間を制御する制御手段を備えていることを特徴とする請求項２〜１０のいずれか１項記載の両面印刷装置。
【請求項１２】
前記制御手段が、前記用紙の前記搬入位置から前記搬出位置への移動速度を制御するものであることを特徴とする請求項１１記載の両面印刷装置。
【請求項１３】
前記第１の搬送手段が前記用紙を吸引しながら前記貯留部内に搬入する吸引部を備え、及び／又は、前記第２の搬送手段が前記用紙を吸引しながら前記貯留部内から搬出する吸引部を備えると共に、
前記第１の搬送手段及び／又は第２の搬送手段の吸引部に吸引された用紙を該吸引部から剥離する剥離手段を備えていることを特徴とする請求項１〜１２のいずれか１項記載の両面印刷装置。
【発明の詳細な説明】
【技術分野】
【０００１】
本発明は、用紙の表面及び裏面に印刷を行う両面印刷装置に関し、特に表面に印刷したインクの乾燥時間を確保可能な両面印刷装置に関するものである。
【背景技術】
【０００２】
近年、環境問題の観点等から印刷に使用する用紙の使用量を低減することが望まれており、そのために用紙の表面及び裏面に印刷を行う両面印刷が盛んに行われている。両面印刷を行う両面印刷装置としては、例えば孔版印刷を行う両面孔版印刷装置が提案されており、この装置の一例として、例えば穿孔製版された孔版原紙を外周面に巻装した円筒状の第１ドラムと第２ドラムを隣接して配設し、第１ドラムで用紙の表面に印刷を行い、表面が印刷された用紙を第２ドラムに搬送して該第２ドラムで用紙の裏面に印刷を行う装置がある。
【０００３】
上記のような両面印刷装置の場合、表面に印刷が行われた用紙に対してさらに裏面に印刷を行うので、表面に印刷後裏面に印刷を行うための搬送中及び裏面の印刷中に、表面に印刷されたインクが十分に乾いていないことにより用紙が汚れてしまう虞れがあった。
【０００４】
そこで、表面印刷が終了した用紙を積載台に一時的に所定時間貯留し、その後貯留した順番に搬送して裏面を印刷することにより、積載台にてインクを乾燥させるようにした両面印刷装置が提案されている（特許文献１）。
【特許文献１】特開２００５−２９３７５号公報
【発明の開示】
【発明が解決しようとする課題】
【０００５】
しかしながら特許文献１に記載の両面印刷装置は、表面のインクがまだ乾燥していない用紙を積載台に積み重ねており、印刷面の擦れや裏移り等により用紙が汚れてしまう虞がある。またインクが多く転写された用紙は紙中水分が高くなるため、用紙表面の密着性が高くなり、積み重ねられた用紙を一枚ずつ取り出して搬送するときに多重搬送が起こり易くなったり、吸湿による用紙の波打ちによって空搬送が起こり易くなる。
【０００６】
本発明はかかる事情に鑑みてなされたものであり、印刷面の擦れや裏移りを防止すると共にインクが多く転写された用紙であってもインクを早く乾燥させて高速印刷を可能にした面印刷装置を提供することを目的とするものである。
【課題を解決するための手段】
【０００７】
本発明の両面印刷装置は、用紙の一面に印刷する第１の印刷手段と、
該一面が印刷された用紙を複数枚貯留する貯留部と、
前記用紙の他面に印刷する第２の印刷手段と、
前記第１の印刷手段により一面が印刷された用紙を順次前記貯留部に搬送する第１の搬送手段と、
前記貯留部に貯留された複数枚の用紙を順次前記第２の印刷手段に搬送する第２の搬送手段とを備え、
前記貯留部が、前記一面が印刷された複数枚の用紙を互いに所定間隔を空けて重ねた状態で保持する保持機構を備えていることを特徴とするものである。
【０００８】
本発明の両面印刷装置は、前記貯留部が、前記第１の搬送手段により搬送されてきた前記用紙が搬入される搬入位置と、貯留されている前記用紙を前記第２の搬送手段に受け渡す搬出位置とを所定間隔を空けて有し、
前記保持機構が、前記搬入位置に搬入された各用紙を順次保持して互いに所定間隔を空けて重ねた状態で前記搬入位置から前記搬出位置に向けて移動させるものであることが好ましい。
【０００９】
また本発明の両面印刷装置は、前記保持機構が、前記複数枚の用紙を立たせると共に左右方向の断面が前記一面を内側にして湾曲するようにカールさせた状態で、各用紙の下端を互いに所定間隔を空けて重ねて支持するものであることが好ましい。
【００１０】
この場合、前記保持機構が、前記複数枚の用紙を立たせた状態で各用紙の下端を互いに所定間隔を空けて支持する下端支持手段と、該下端支持手段により下端が支持された前記用紙に対して左右方向の断面が前記一面を内側にして湾曲するカールを付与するカール付与手段とを備えてなることが好ましい。
【００１１】
またこの場合、前記貯留部が、前記第１の搬送手段により搬送されてきた前記用紙が搬入される搬入位置と、貯留されている前記用紙を前記第２の搬送手段に受け渡す搬出位置とを所定間隔を空けて有し、
前記下端支持手段が、前記搬入位置に搬入された前記用紙の下端を支持して該用紙を順次前記搬出位置に向けて移動させるものであることが好ましい。
【００１２】
本発明の両面印刷装置においては、前記下端支持手段が、下端を支持した前記用紙を該用紙の前記一面が向く方向に移動させるものであることが好ましい。
【００１３】
また本発明の両面印刷装置においては、前記下端支持手段が、所定間隔を空けて前記用紙の移動方向に配列された複数個の凹部を備え、該凹部で前記用紙の下端を支持すると共に、該凹部を前記用紙の移動方向に移動させることで前記用紙を移動させるものであってもよい。
【００１４】
また前記下端支持手段が、前記用紙の移動方向に延びるネジ棒であって、該ネジ棒に形成されているネジ溝で前記用紙の下端を支持すると共に、該ネジ棒を回転させることで前記用紙を移動させるものであってもよい。
【００１５】
また前記下端支持手段が、所定間隔を空けて前記用紙の移動方向に配列された複数個の前記用紙の下端を把持する開閉可能なクランプ部を備え、該クランプ部で前記用紙の下端を把持すると共に、該クランプ部を前記用紙の移動方向に移動させることで前記用紙を移動させるものであってもよい。
【００１６】
また本発明の両面印刷装置は、前記カール付与手段が、前記搬入位置に搬入される用紙をその左右方向の断面が前記一面を内側にして湾曲するようにカールさせるべく、搬入される前記用紙の左右側部を中央部よりも前記一面側に向けて押し出すガイド部材であることが好ましい。
【００１７】
また本発明の両面印刷装置は、前記用紙の前記一面の印刷率に基づいて、前記用紙の前記貯留部への搬入時から前記貯留部からの搬出時までの貯留時間を制御する制御手段を備えていることが好ましい。
【００１８】
なお本発明において「印刷率」は、用紙の一面の全面積に対する実印刷面積の割合を意味するものであり、例えば孔版印刷の場合、第１の印刷手段により印刷する画像を表わす白黒の二値画像データ（黒画像データは孔版原紙に穿孔を行う画像データ、白画像データは孔版原紙に穿孔を行わないデータ）の全画像データ数に対する黒画像データ数の割合で示すことができる。
【００１９】
またこの場合、前記制御手段が、前記用紙の前記搬入位置から前記搬出位置への移動速度を制御するものであることが好ましい。
【００２０】
また本発明の両面印刷装置は、前記第１の搬送手段が前記用紙を吸引しながら前記貯留部内に搬入する吸引部を備え、及び／又は、前記第２の搬送手段が前記用紙を吸引しながら前記貯留部内から搬出する吸引部を備えると共に、
前記第１の搬送手段及び／又は第２の搬送手段の吸引部に吸引された用紙を該吸引部から剥離する剥離手段を備えていることが好ましい。
【００２１】
この場合、前記下端支持手段が、間欠的に前記用紙を移動させるものであり、
前記下端支持手段による前記用紙の間欠送りに同期して前記剥離手段を剥離動作させる剥離動作制御手段を備えていることが好ましい。
【００２２】
また本発明の両面印刷装置においては、前記ガイド部材が、該ガイド部材の位置を前記用紙の移動方向に調整可能に構成されていることが好ましい。
【００２３】
なお、本発明における「第１の印刷手段」は、用紙にインクを与えて印刷を行なうものであればどのような印刷方式の印刷手段でも良く、例えば孔版印刷手段やインクジェット印刷手段等を採用し得る。また、本発明における「第２の印刷手段」もその印刷方式は何ら限定されるものではない。
【００２４】
また、本発明の保持機構における「用紙を立たせる」とは、用紙を重力方向に立たせることを意味し、必ずしも重力方向にまっすぐ立たせる必要はなく、重力方向に対して斜めに立たせるものも含む意味である。斜めに立たせる場合には、重力方向に対して５゜〜４５゜の範囲で立たせるのが良く、１０゜〜３０゜の範囲で立たせるのがより好ましい。
【発明の効果】
【００２５】
本発明の両面印刷装置によれば、一面が印刷された用紙を複数枚貯留する貯留部が、一面が印刷された複数枚の用紙を互いに所定間隔空けて重ねた状態で保持する保持機構を備えているので、印刷された面つまりインクが転写された面を他の用紙に接触させることなく複数枚の用紙を保持し、かつ貯留することによりインクを乾燥させることができるので、印刷面の擦れや裏移りを防止できると共にインクが多く転写された用紙であってもインクを早く乾燥させて高速印刷を可能にできる。
【発明を実施するための最良の形態】
【００２６】
以下、本発明の一実施形態である両面孔版印刷装置１について、図面を参照して詳細に説明する。図１は本実施形態の両面孔版印刷装置１の概略構成図、図２は図１の両面孔版印刷装置１の要部詳細拡大図、図３は図２のＡ−Ａ線断面図、図４は図２の矢印Ｂ方向から見た図である。
【００２７】
本実施形態の両面孔版印刷装置１は、図１に示す如く、装置ハウジング１０と、装置ハウジング１０の一側面（図１中、左側面）に設けられ、印刷媒体である複数枚の用紙Ｐ１が積載された給紙台２と、給紙台２から給紙される用紙Ｐ１の一面Ａに印刷する第１の孔版印刷部（第１の印刷手段）３と、一面Ａが印刷された用紙Ｐ２を複数枚貯留する貯留部４と、貯留部４に貯留されていた用紙Ｐ２の他面Ｂに印刷する第２の孔版印刷部（第２の印刷手段）５と、装置ハウジング１０の他側面（図１中、右側面）に設けられ、両面すなわち一面Ａ及び他面Ｂが印刷された用紙Ｐ３を積載する排紙台６とを備えている。
【００２８】
また両面孔版印刷装置１は、給紙台２から第１の孔版印刷部３及び第１の孔版印刷部３から貯留部４内部へ用紙Ｐ１、Ｐ２を搬送する第１の搬送部（第１の搬送手段）７と、貯留部４内部から第２の孔版印刷部５及び第２の孔版印刷部５から排紙台６まで用紙Ｐ２、Ｐ３を搬送する第２の搬送部（第２の搬送手段）８とを備えている。
【００２９】
第１の搬送部７は装置ハウジング１０に設けられ、図１、図２に示す如く、給紙台２に積載された用紙Ｐ１の装置ハウジング１０側の上方に設けられた第１ピックアップローラ７１と、第１ピックアップローラ７１によってピックアップされた用紙Ｐ１を所定のタイミングにて第１の孔版印刷部３に搬送する第１タイミングローラ７２と、第１の孔版印刷部３により上側に位置する一面Ａが印刷された用紙Ｐ２を円弧状の軌跡に沿って反転させて一面Ａを下側に位置させる反転装置７３と、反転装置７３にて反転された用紙Ｐ２を貯留部４内部に搬入して後述する下端支持部４１に支持させる搬入装置７４とで概略構成されている。
【００３０】
第２の搬送部８は同じく装置ハウジング１０に設けられ、図１、図２に示す如く、貯留部４内部の後述する下端支持部４１から用紙Ｐ２を搬出する搬出装置８１と、搬出装置８１により搬出される用紙Ｐ２をピックアップする第２ピックアップローラ８２と、第２ピックアップローラ８２によってピックアップされた用紙Ｐ２を順次所定のタイミングにて第２の孔版印刷部５に搬送する第２タイミングローラ８３と、第２の孔版印刷部５により他面Ｂが印刷された、すなわち両面が印刷された用紙Ｐ３を排紙台６に向けて搬出する排出装置８４とで概略構成されている。
【００３１】
搬入装置７４、搬出装置８１及び排出装置８４は、それぞれ所定間隔を空けて配置された一対のプーリー７４ａ、８１ａ、８４ａと、一対のプーリー７４ａ、８１ａ、８４ａの外周に掛け渡されそれぞれプーリー７４ａ、８１ａ、８４ａの回転に伴って移動する環状の搬送ベルト７４ｂ、８１ｂ、８４ｂと、吸引用のファン７４ｃ、８１ｃ、８４ｃとを備えている。
【００３２】
搬送ベルト７４ｂ、８１ｂ、８４ｂは、例えば図４に示す搬送ベルト７４ｂのように表面に複数の孔７４ｂ’８１ｂ’、８４ｂ’（８１ｂ’、８４ｂ’は図示せず）が設けられており、搬送ベルト７４ｂ、８１ｂ、８４ｂとプーリー７４ａ、８１ａ、８４ａとは、用紙Ｐ側に位置する搬送ベルト７４ｂ、８１ｂ、８４ｂの少なくとも上記孔７４ｂ’、８１ｂ’、８４ｂ’を含む一部のみを外部に露出させて、例えば図３に示すような略密閉されたケース７４ｄ、８１ｄ、８４ｄ（８４ｄは図示せず）の中に配設されている。
【００３３】
ファン７４ｃ、８１ｃ、８４ｃは、各々のケース７４ｄ、８１ｄ、８４ｄに取り付けられ、ケース７４ｄ、８１ｄ、８４ｄ内部の空気を外部に排出することにより、搬送ベルト７４ｂ、８１ｂ、８４ｂの孔７４ｂ’、８１ｂ’、８４ｂ’に吸引力を発生させる。
【００３４】
このように構成された各装置７４、８１、８４は、図示しないモータによってプーリー７４ａ、８１ａ、８４ａを回転させて搬送ベルト７４ｂ、８１ｂ、８４ｂを移動させると共にファン７４ｃ、８１ｃ、８４ｃを回転させて孔７４ｂ’ 、８１ｂ’、８４ｂ’に吸引力を発生させることにより、用紙Ｐを吸引しながら搬送する。
【００３５】
また反転装置７３は、図２に示す如く、円弧状の軌跡に沿って配設された４つのプーリー７３ａと、この４つのプーリー７３ａの外周に掛け渡されプーリー７３ａの回転に伴って移動する環状の搬送ベルト７３ｂと、吸引用のファン７３ｃとを備えており、上記搬送装置７４、８１、８４と略同様に構成されている。
【００３６】
なお本実施形態の搬入装置７４、搬出装置８１、排出装置８４及び反転装置７３は、上記の構成としたが、例えば搬送ベルト７３ｂ、７４ｂ、８１ｂ、８４ｂの内側面にファン７３ｃ、７４ｃ、８１ｃ、８４ｃを取り付けて吸引するようにしてもよいし、用紙Ｐを搬送可能であればどのような構造であってもよい。
【００３７】
また搬入装置７４は、一対のプーリー７４ａの外周に掛け渡された搬送ベルト７４ｂ及びファン７４ｃを並列に複数備えて、これらで一枚の用紙を吸引して搬送するようにしてもよい。搬出装置８１及び／又は排出装置８４も同様にすることができる。
【００３８】
第１の孔版印刷部３は、図１に示す如く、第１ドラム３１と第１プレスローラ３２とからなり、第１ドラム３１の下流側には図２に示す如く、用紙Ｐ２を剥ぎ取る剥取爪３３が設けられている。第１ドラム３１は内部に図示しない第１インクカートリッジを有し、第１ドラム３１の外周面には入力された画像データに基づいて図示しない製版部により感熱穿孔済の、つまり製版された孔版原紙Ｍ１が巻装されている。そして第１タイミングローラ７２により第１ドラム３１の回転に同期して第１ドラム３１と第１プレスローラ３２との間に送り込まれた用紙Ｐ１の一面Ａすなわち上側に位置する上面Ａが第１プレスローラ３２によって孔版原紙Ｍ１に押し付けられることにより用紙Ｐ１の一面Ａに対して孔版印刷が行われる。
【００３９】
第２の孔版印刷部５は、上記第１の孔版印刷部３と同様に、第２ドラム５１と第２プレスローラ５２とからなり、第２ドラム５１の下流側には用紙Ｐ３を剥ぎ取る剥取爪５３が設けられている。第２ドラム５１は内部に図示しない第２インクカートリッジを有し、第２ドラム５１の外周面には製版された孔版原紙Ｍ２が巻装されている。そして一面Ａが印刷され、さらに反転装置７３によって反転された後、貯留部４を経て、第２タイミングローラ８３により第２ドラム５１の回転に同期して第２ドラム５１と第２プレスローラ５２との間に送り込まれた用紙Ｐ２の他面Ｂすなわち上側に位置する上面Ｂが第２プレスローラ５２によって孔版原紙Ｍ２に押し付けられることにより用紙Ｐ２の他面Ｂに対して孔版印刷が行われる。
【００４０】
貯留部４は、第１の孔版印刷部３により一面Ａが印刷された用紙Ｐ２を、第２の孔版印刷部５で用紙Ｐ２の他面Ｂに印刷を行なう前に複数枚一時的に貯留するものであり、本発明において特徴的なのは、この貯留部４が、この複数枚の用紙Ｐ２を互いに所定間隔を空けて重ねた状態で保持する保持機構を備えていることである。
【００４１】
この保持機構は、一面Ａが印刷された複数枚の用紙Ｐ２を互いに所定間隔を空けて重ねた状態で保持するものであればどのような構成のものでも良く、その具体的構成としては、用紙Ｐ２を立たせてその下端をそれぞれ支持する構成、用紙Ｐ２を１枚１枚それぞれ把持する構成、あるいは、用紙Ｐ２を１枚１枚それぞれ吸着保持する構成等、種々の構成を採用することができる。
【００４２】
貯留部４は、第１の搬送部７により搬送されてきた用紙Ｐ２が搬入される搬入位置と、貯留されている用紙Ｐ２を第２の搬送部８に受け渡す搬出位置とを所定間隔を空けて有し、保持機構が、搬入位置に１枚ずつ搬入された各用紙Ｐ２を順次保持して互いに所定間隔を空けて重ねた状態で搬入位置から搬出位置に向けて移動させ、搬出位置から１枚ずつ搬出して他面Ｂの印刷に供することができるものであることが好ましい。
【００４３】
本実施形態における貯留部４は、図１に示す如く、第１の搬送部７から送られてきた用紙Ｐ２の搬入口および第２の搬送部８に用紙Ｐ２を受け渡す用紙Ｐ２の搬出口を上方にして斜めに配設されており、搬入された一面Ａが印刷済みの用紙Ｐ２を複数枚互いに所定間隔を空けて重ねた状態で斜めに立たせて、かつ左右方向（斜めに立った状態の用紙Ｐ２の上下方向に直角な方向）の断面が一面Ａを内側にして湾曲するようにカールさせた状態で保持する保持機構を備えている。
【００４４】
本実施形態の保持機構は、図２に示す如く、用紙Ｐ２の印刷された一面Ａを斜め下方から支える支持体である支持板４０ａと、支持板４０ａの両側面（図２中、手前側と奥側）にそれぞれ支持板４０ａと略直角に設けられて支持板４０ａに用紙Ｐ２を導く側面ガイド体である側面ガイド板４０ｂと、用紙Ｐ２の未印刷の他面Ｂを斜め上から覆う覆板４０ｃと、複数枚の用紙Ｐ２をそれらの下端を互いに所定間隔を空けて搬入順に順次支持する下端支持部（下端支持手段）４１と、下端支持部４１により下端が支持された用紙Ｐ２に対してその左右方向の断面が、図３及び図７に示す如く、印刷が施された一面Ａを内側にして湾曲するカールを付与するカール付与部（カール付与手段）４２とを備えている。
【００４５】
なお、図３に示す如く、覆板４０ｃには上述した搬入装置７４のケース７４ｄ、支持板４０ａには上述した搬出装置８１のケース８１ｄがそれぞれ取り付けられて、覆板４０ｃ及び支持板４０ａにそれぞれ設けられた図示しない開口から搬送ベルト７４ｂ及び搬送ベルト８１ｂがそれぞれ露出するように構成されている。図５に図２の下端支持部４１の拡大詳細図、図６に図２の要部拡大詳細斜視図、図７に貯留部４内での用紙Ｐ２の状態を示す図をそれぞれ示す。なお図５では便宜上、搬送ベルト４１ｂの片側の外周面の詳細を省略している。
【００４６】
下端支持部４１は、図２、図５に示す如く、間隔を空けて配置された一対のプーリー４１ａと、この一対のプーリー４１ａの外周に掛け渡されて、図示しないモータによるプーリー４１ａの回転に伴って移動する環状の搬送ベルト４１ｂとを備え、搬送ベルト４１ｂには、搬送ベルト４１ｂの外周面に立設し、搬送ベルト４１ｂの全周に亘って所定間隔空けて配列された複数のプレート４１ｃが設けられている。このように構成された下端支持部４１は、一対のプーリー４１ａを結ぶ方向つまり搬送ベルト４１の搬送移動方向（図５中の矢印Ｆ方向、つまり用紙Ｐ２を支持して搬送する役割を担うプーリー４１ａの上側を移動する搬送ベルト部分の移動方向）が、用紙Ｐ２の搬入方向（矢印Ｄ方向）及び搬出方向（矢印Ｅ方向）と略直交するように配設されている。
【００４７】
また複数のプレート４１ｃは、図５に示す如く、それぞれ搬送ベルト４１ｂの搬送移動方向上流側に隣接するプレート４１ｃに向けて延びる金属片等からなる弾性変形可能な爪片４１ｅを備えている。隣り合う一対のプレート４１ｃ、４１ｃで構成されるそれぞれの凹部４１ｄに、用紙Ｐ２が印刷された一面Ａを斜め下側（図２及び図５中、右側）にした状態で一枚ずつ挿入されたときに、凹部４１ｄに挿入された用紙Ｐ２の下端中央を上流側のプレート４１ｃと下流側のプレート４１ｃの爪片４１ｅとで把持することにより複数枚の用紙Ｐ２を互いに所定間隔を空けて重ねた状態で保持するように構成されている。このとき下流側のプレート４１ｃの爪片４１ｅと上流側のプレート４１ｃとが１枚の用紙Ｐ２を把持するクランプ部４１ｆとなる。
【００４８】
クランプ部４１ｆは、直線状態にある搬送ベルト４１ｂ上では、隣接するプレート４１ｃ、４１ｃが略平行となり、下流側のプレート４１ｃの爪片４１ｅの先端（下端）と上流側のプレート４１ｃとの間隔が用紙Ｐ２の厚さより小さくなることから、凹部４１ｄに用紙Ｐ２が挿入された場合、爪片４１ｅは用紙Ｐ２によって該爪片４１ｅが設けられているプレート４１ｃ側に弾性変形せしめられ、その結果爪片４１ｅは用紙Ｐ２を上流側のプレート４１ｃに弾性的に押し付けて用紙Ｐ２を把持することができ、プーリー４１ａ上に位置して曲線状態にある搬送ベルト４１ｂ上では、隣接するプレート４１ｃ、４１ｃが平行ではなくなり、先端（上端）側がより離れた状態となって、爪片４１ｅの先端（下端）と上流側のプレート４１ｃとの間隔が用紙Ｐ２の厚さより大きくなり用紙Ｐ２を解放することができる。
【００４９】
本貯留部４においては、第１の搬送部７によって搬送されて貯留部４に用紙が搬入される搬入位置Ｃ１（図２では矢印Ｄ位置）と貯留されている用紙Ｐ２を第２の搬送部８に受け渡して該第２の搬送部８によって搬出される搬出位置Ｃ２（図２では矢印Ｅ位置）とが搬送ベルト４１ｂの搬送移動方向に所定間隔を空けて設定されており、下端支持部４１は一対のプーリー４１ａがそれぞれ搬入位置Ｃ１及び搬出位置Ｃ２に対応させて配設されている。より詳しくは、搬入位置Ｃ１が、搬送ベルト４１ｂの搬送移動方向上流側に位置する上流側プーリー（図中左側のプーリー）４１ａの中心よりも僅かに外側（図中左側）に位置するように、また、搬出位置Ｃ２が、搬送ベルト４１ｂの搬送移動方向下流側に位置する下流側プーリー（図中右側のプーリー）４１ａの中心よりも僅かに外側（図中左側）に位置するように設定されている。
【００５０】
これにより、図５に示す如く、搬入位置Ｃ１に位置するクランプ部４１ｆにおいては、該クランプ部４１ｆを構成する一対のプレート４１ｃのうち少なくとも上流側のプレート４１ｃがプーリー４１ａに沿った曲線状態となっている搬送ベルト４１ｂ上に位置し、それによってそれらの一対のプレート４１ｃ間は上端が開いてクランプ部４１ｆが開状態となり、搬入された用紙Ｐ２の下端をこのクランプ部４１ｆの凹部４１ｄに受け入れることが可能である。同様に、搬出位置Ｃ２に位置するクランプ部４１ｆにおいては、該クランプ部４１ｆを構成する一対のプレート４１ｃのうち少なくとも下流側のプレート４１ｃがプーリー４１ａに沿った曲線状態となっている搬送ベルト４１ｂ上に位置し、それによってそれらの一対のプレート４１ｃ間は上端が開いてクランプ部４１ｆが開状態となっており、クランプ部４１ｆの凹部４１ｄに位置している用紙Ｐ２の下端の把持が開放されて該用紙Ｐ２をクランプ部４１ｆから引き出すことが可能とである。
【００５１】
そして、図示しないモータによってプーリー４１ａを時計回りに回転させることで搬送ベルト４１ｂを時計回りに移動させたときに、搬入装置７４は搬入位置Ｃ１に位置して開状態となったクランプ部４１ｆの凹部４１ｄに用紙Ｐ２を搬入し、用紙Ｐ２の下端をプレート４１ｃと爪片４１ｅとの間に位置させる。そして搬入装置７４は搬送ベルト４１ｂが凹部４１ｄ一つ分移動する毎に搬入位置Ｃ１に位置する新たな凹部４１ｄに用紙Ｐ２を順次搬入する。
【００５２】
搬入位置Ｃ１においてクランプ部４１ｆに用紙Ｐ２が搬入された後、搬送ベルト４１ｂが移動してそのクランプ部４１ｆが直線状態となった搬送ベルト４１ｂ上に位置すると、該クランプ部４１ｆが閉状態となるので爪片４１ｅとプレート４１ｃとで用紙Ｐ２の下端が確実に把持される。
【００５３】
そしてさらなる搬送ベルト４１ｂの移動によってクランプ部４１ｆが搬出位置Ｃ２に位置すると、該クランプ部４１ｆが開状態となり、搬出装置８１が爪片４１ｅとプレート４１ｃとの間から用紙Ｐ２を搬出する。そして搬出装置８１は搬送ベルト４１ｂが凹部４１ｄ一つ分移動する毎に、同様にして搬出位置Ｃ２に到来したクランプ部４１ｆから用紙Ｐ２を順次搬出する。
【００５４】
カール付与部４２は、図６に示す如く、用紙Ｐ２の左右方向の略中央部を吸引搬送するように覆板４０ｃに設置された搬入装置７４の左右方向の両側に設置されており、図３、図６に示す如く、覆板４０ｃに立設された取付板に両端を固定された支点軸４２ａと、該支点軸４２ａを中心にして図３の矢印Ｍ方向に回転可能に設けられた支持板４２ｂ’と、該支持板４２ｂ’と一体的に回転し、斜め下方に羽根状に延びるガイド部材４２ｂとを備えている。
【００５５】
用紙Ｐ２は搬入装置７４によって一面Ａを斜め下側にして図５の搬入位置Ｃ１に吸引搬送されるときに、ガイド部材４２ｂの斜め下側の下面に沿って搬入されるので、ガイド部材４２の下面によって用紙Ｐ２の左右側部を中央部よりも下側つまり一面Ａ側に向けて押し出されつつ下端が下端支持部４１のクランプ部４１ｆに挿入される。これにより図７に示す如く、用紙Ｐ２は左右方向の断面が一面Ａを内側にして湾曲するようにカールさせた状態で下端支持部４１に下端が支持される。
【００５６】
下端支持部４１の搬送ベルト４１ｂが移動すると用紙Ｐ２は、上記のようにカールが付与された状態で、ガイド部材４２ｂの下面から離れた後、次の用紙Ｐ２が同様にしてガイド部材４２ｂの下面に沿って搬入される。そしてガイド部材４２ｂの下面から離れた用紙Ｐ２は、搬出位置Ｃ２に向けて送られ、搬出位置Ｃ２にて搬出装置８１によって一面Ａが吸引されて、第２ピックアップローラ８２に向けて搬送される。
【００５７】
なおガイド部材４２ｂは図３に示すように支点軸４２ａを中心として矢印Ｍ方向に回転可能にされているので、用紙Ｐが厚いときや硬いときには、ガイド部材４２ｂを支点軸４２ａを中心として矢印Ｍ方向の時計回りに回転させ覆板４０ｃとガイド部材４２ｂとがなす角度θを小さくすることにより、ガイド部材４２ｂの下面を図３の下方つまり用紙Ｐ２の移動方向（矢印Ｆ方向）に移動することができ、用紙Ｐが薄いときや軟らかいときには、同様にしてガイド部材４２ｂを支点軸４２ａを中心として反時計回りに回転させ角度θを大きくすることにより、ガイド部材４２ｂの下面を図３の上方つまり用紙Ｐ２の移動方向（矢印Ｆ方向）と逆の方向に移動することができるので、用紙Ｐの紙質に対応して上記カールさせるときの押し出し量を調整することができる。
【００５８】
このように貯留部４において、一面Ａが印刷された複数枚の用紙Ｐ２が互いに所定間隔をあけて重ねた状態で保持されることにより、印刷された面の擦れや裏移りによる用紙Ｐ２の汚れを防止することができる。なお本実施形態では複数枚の用紙Ｐ２の下端中央のみを保持するので、用紙Ｐ２の上端及び／又は左右端は重ねられた別の用紙Ｐ２と接触してしまう場合があるが、この接触は、図２に示すように、用紙Ｐ２の自重によるものであり、用紙Ｐ２の一面Ａが他の用紙Ｐ２と擦れて接触するものではないので、用紙Ｐ２が汚れる可能性は低い。また、上端及び左右端の接触部分には印刷が行われないことが多く、その意味からも用紙Ｐ２が汚れる可能性は低い。
【００５９】
また搬送ベルト４１ｂが搬入位置Ｃ１から搬出位置Ｃ２に移動する間、印刷された面すなわち一面Ａが他の用紙Ｐ２と接触しないことにより、インクを効率よく乾燥させることができる。
【００６０】
また搬出位置Ｃ２にて用紙Ｐ２を凹部４１ｄから搬出するときに、複数枚の用紙Ｐ２は一枚ずつ隙間をあけて貯留されているので、用紙Ｐ２の多重搬送を防止するために用紙Ｐ２表面の密着を剥がす捌き機構を設ける必要がない。これにより捌き機構により用紙Ｐ２を捌くときに印刷面が擦れることにより生じる用紙Ｐ２の汚れの発生を防ぐことができる。
【００６１】
また貯留部４内部の用紙Ｐ２は、クランプ部４１ｆによって下端中央を把持された状態で搬入位置Ｃ１から搬出位置Ｃ２まで搬送されるので、用紙Ｐ２を単に該用紙Ｐ２の自重で落下させて積載させた場合と比して、搬出位置Ｃ２における用紙Ｐ２の位置精度を確保することができる。
【００６２】
また本実施形態の貯留部４の保持機構は、用紙Ｐ２の下端のみを支持する簡単な構造であるため、貯留部４が占める空間を比較的小さくすることができる。
【００６３】
また用紙Ｐ２はガイド部材４２によって左右方向の断面が湾曲するようにカールさせた状態に保持されるので、例えば一面Ａに転写されたインクの量が比較的多くて用紙Ｐ２の紙中水分が高い場合であっても、用紙Ｐ２の吸湿によって生じる上下方向に断面が湾曲するカールつまり用紙Ｐ２の搬送方向に沿ったカールが生じ難くなる。従って用紙Ｐ２の搬送方向に沿ったカールに起因して生じる搬送経路での用紙Ｐ２の紙詰まりの発生を防止することができて、片面が印刷された用紙であっても安定して搬送することができるので、両面孔版印刷装置１は高速給紙での印刷に対応することができる。
【００６４】
さらに、用紙Ｐ２は上述のように左右方向の断面が湾曲するようにカールされているので、下端を支持して立たせた状態にしても上下方向の断面が湾曲する腰折れが生じ難く、下端を支持するだけで立った状態を維持することができる。
【００６５】
なお本実施形態では下端支持部４１を上記のような構成としたが、下端支持部４１はこれに限られるものではなく、別の構成であってもよい。ここで図８に第２の実施形態の下端支持部１４１の側面図、図９に第３の実施形態の下端支持部２４１の側面図を示す。
【００６６】
第２の実施形態の下端支持部１４１は、図５の下端支持部４１とはクランプ部４１ｆを備えていない点が異なっており、図８に示す如く、搬送ベルト１４１ｂの外周面に全周に亘って複数個立設された突起１４１ｃを備え、隣り合う突起１４１ｃにより構成される凹部１４１ｄの底面に用紙Ｐ２の中央下端が当接し、この凹部１４１ｄにより用紙Ｐ２の下端を支持するように構成されている。
【００６７】
本実施形態の下端支持部１４１も、図５の下端支持部４１と同様に、図示しないモータによってプーリー１４１ａを回転することにより搬送ベルト１４１ｂを時計回りに移動させる。これにより凹部１４１ｄつまり用紙Ｐ２を一枚ずつ搬送位置Ｃ１から搬出位置Ｃ２まで矢印Ｆ方向に搬送移動させることができる。
【００６８】
また第３の実施形態の下端支持部２４１は、図９に示す如く、用紙Ｐ２の搬入／搬出方向（矢印Ｄ，Ｅ方向）と略直交する方向に延びるネジ棒２４１ａで構成されており、ネジ棒２４１ａはその外周面にネジ溝２４１ｄが形成されている。図示しないモータによってネジ棒２４１ａを搬入位置Ｃ１側の端部からみて時計回りに回転させることにより、ネジ溝２４１ｄのうちネジ棒２４１ａの上側に位置する部分はそれぞれ搬入位置Ｃ１から搬出位置Ｃ２に向けて移動する。
【００６９】
貯留部４の搬入位置Ｃ１に搬入された用紙Ｐ２は、該搬入位置Ｃ１に位置しているネジ棒２４１ａの上側のネジ溝２４１ｄのうち搬入位置Ｃ１に位置しているネジ溝部分で支持され、ネジ棒２４１ａの回転によって順次この搬入位置Ｃ１に新しいネジ溝部分が出現して該ネジ溝部分で順次搬入された用紙Ｐ２の下端が支持され、各ネジ溝部分で支持された用紙Ｐ２はそれぞれネジ溝部分の移動に伴って搬出位置Ｃ２に向けて移動する。
【００７０】
上記のような第２、第３の実施形態の下端支持部１４１、２４１であっても、上述した実施形態の下端支持部４１と同様に貯留部４にてカール付与部４２との協働の下に複数枚の用紙Ｐ２を互いに所定間隔を空けて重ねた状態で保持することができる。
【００７１】
また本実施形態ではカール付与部４２を上記のような構成としたが、カール付与部４２はこれに限られるものではなく、下端が支持された用紙Ｐ２に対して左右方向の断面が一面Ａを内側にして湾曲するようにカールさせることができればよく、例えば用紙Ｐ２の左右側部を一面Ａ側から吸引する構造のものであってもよい。
【００７２】
次に以上のように構成された本実施形態の両面孔版印刷装置１の一連の動作について説明する。なお各動作は、装置ハウジング１０に設けられた図示しない制御部からの指示により行われるものとする。
【００７３】
両面孔版印刷装置１は、図１に示す如く、給紙台２に積載された用紙Ｐ１をピックアップローラ７１が順次ピックアップし、ピックアップされた用紙Ｐ１を第１タイミングローラ７２が順次第１の孔版印刷部３に搬送し、第１の孔版印刷部３は、搬送された用紙Ｐ１を１枚ずつ、第１プレスローラ３２により第１ドラム３１に押し付けながら第１ドラム３１を１回転させて用紙Ｐ１の上側一面Ａに、第１ドラム３１に巻装された製版済孔版原紙Ｍ１の画像を順次印刷する。
【００７４】
次に反転装置７３が、印刷された一面Ａを上面にした用紙Ｐ２を、他面Ｂを吸引しながら円弧状の軌跡に沿って順次搬送することにより、一面Ａが下面となるように反転しつつ貯留部４内に向けて搬送する。そして図２に示す如く、反転装置７３によって順次搬送された用紙Ｐ２を、搬入装置７４が上面つまり他面Ｂの左右方向の中央部を吸引しながら貯留部４内に下方に向けて順次搬入する。このとき搬入装置７４によって搬入される用紙Ｐ２は、図６に示す如く、他面Ｂの左右側部が上述したガイド部材４２ｂの下面に当接しながら搬入される。
【００７５】
上記のように搬入装置７４によって貯留部４内に搬入された用紙Ｐ２は、図５に示す如く、搬入位置Ｃ１の凹部４１ｄに挿入される。このとき図示しないモータが、搬入装置７４による用紙Ｐ２の搬入と同期して凹部４１ｄが搬入位置Ｃ１に位置するようにプーリー４１ａを回転させるので、搬入位置Ｃ１に搬入された用紙Ｐ２は順次搬入位置Ｃ１に位置する新たな凹部４１ｄに挿入され、矢印Ｆで示す搬送移動方向に移動せしめられる。
【００７６】
これにより下端支持部４１は、搬入位置Ｃ１の凹部４１ｄにおいて搬入された用紙Ｐ２の下端を支持し、搬送ベルト４１ｂが矢印Ｆの搬送移動方向に移動すると共にクランプ部４１ｆが用紙Ｐ２ｂの下端中央を上述したようにして把持するので、搬入位置Ｃ１に順次搬入される複数枚の用紙Ｐ２を１枚ずつクランプ部４１ｆによって把持できる。
【００７７】
搬入位置Ｃ１の凹部４１ｄにて支持された用紙Ｐ２は、図６に示す如く、ガイド部材４２ｂによって上面つまり他面Ｂの左右側部が中央部よりも下方向つまり一面Ａ側に押し付けられているので、図７に示すように一面Ａを内側にして湾曲したカール状態となり、用紙Ｐ２はカール状態を維持したまま搬送ベルト４１ｂの移動に伴ってクランプ部４１ｆに下端中央が把持されつつ搬送ベルト４１ｂと共に移動する。
【００７８】
クランプ部４１ｆにより１枚ずつ把持された複数枚の用紙Ｐ２は、搬送ベルト４１ｂの移動により搬出位置Ｃ２に位置すると、上述したようにしてクランプ部４１ｆから解放される。このとき用紙Ｐ２の搬出位置Ｃ２への到来と同期して、図２に示す搬出装置８１のプーリー８１ａ及びファン８１ｃを図示しないモータにより回転させることにより、搬出装置８１で、クランプ部４１ｆから解放された用紙Ｐ２の下面つまり一面Ａを吸引して該用紙Ｐ２を第２の孔版印刷部５１に向けて搬出する。
【００７９】
このとき用紙Ｐ２は、搬入位置Ｃ１から搬出位置Ｃ２へ移動するために要する時間すなわち貯留部４における貯留時間にて、一面Ａに転写されたインクを乾燥させることができるので、搬出装置８１によって一面Ａを吸引して搬送するときに搬送ベルト８１ｂとの接触によって用紙Ｐ２の一面が汚れるのを防ぐことができる。
【００８０】
なお用紙Ｐ２の一面Ａの印刷率に基づいて、つまり一面Ａの全面積に対する該一面Ａに占める実印刷面積の割合が高い場合には、一面Ａへのインクの転写が多いので貯留時間を長くし、実印刷面積の割合が低い場合には、一面Ａへのインクの転写が少ないので貯留時間を短くするように貯留時間を制御するようにしてもよい。この印刷率は、用紙Ｐ２の一面Ａの全面積に対する実印刷面積の割合を意味するものであり、例えば孔版印刷の場合、第１の孔版印刷部３により印刷する画像を表わす白黒の二値画像データ（黒画像データは孔版原紙に穿孔を行う画像データ、白画像データは孔版原紙に穿孔を行わないデータ）の全画像データ数に対する黒画像データ数の割合で示すことができる。
【００８１】
図１０は図８の下端支持部１４１の他の動作状態示す側面図、図１１は図９の下端支持部２４１の他の動作状態を示す側面図である。
【００８２】
貯留部４が上記第２の実施形態の下端支持部１４１を備えている場合には、両面印刷を開始する前に上述のようにして第１の孔版印刷部３における印刷率を算出しておき、この印刷率が所定値以下のとき、即ち乾燥時間が比較的少なくてもよいときは、図１０に示す如く、搬送ベルト１４１ｂの移動速度つまり用紙Ｐ２の移動速度を図８に示す場合に比して２倍にすることによって例えば１つおきの凹部１４１ｄに用紙Ｐ２が保持されるようにする。なお搬送ベルト１４１ｂの移動速度は、図示しないモータを制御してプーリー１４１ａの回転速度を変更することにより変更することができる。
【００８３】
貯留部４が上記第３の実施形態の下端支持部２４１を備えている場合には、上記と同様に印刷率が所定値以下のとき、図１１に示す如く、ネジ溝２４１ｄの送り速度つまり用紙Ｐ２の移動速度を図９に示す場合に比して２倍にすることによって例えば１ピッチおきのネジ溝２４１ｄに用紙Ｐ２が保持されるようにする。なおネジ溝２４１の送り速度は、図示しないモータを制御してネジ棒２４１ａの回転速度を変更することにより変更することができる。
【００８４】
そして上記のように１凹部おき、又は１ピッチおきに用紙Ｐ２を保持するように下端支持部４１を駆動すると、用紙Ｐ２の搬送速度が速くなることから、用紙Ｐ２が貯留部４に貯留する時間が短くなり、無駄な乾燥時間を省略して用紙Ｐ２を搬出位置Ｃ２から搬出することができる。
【００８５】
また上記のように搬送ベルト１４１ｂの移動速度又はネジ溝２４１ｂの送り速度はモータを制御するだけで変更することができるので、複雑な制御を要することなく貯留時間すなわち乾燥時間を制御することができる。
【００８６】
なお貯留部４が図５に示す下端支持部４１を備えている場合にも、上記第２の実施形態の下端支持部１４１を備えている場合と同様にして、乾燥時間を制御することができる。
【００８７】
以上のように貯留部４にて一面Ａに転写されたインクが乾燥された用紙Ｐ２を搬出装置８１が貯留部４から搬出した後、第２ピックアップローラ８２が搬出装置８１から搬出された用紙Ｐ２を順次ピックアップし、ピックアップされた用紙Ｐ２を第２タイミングローラ８３が所定のタイミングにて第２の孔版印刷部５に順次搬送する。第２の孔版印刷部５は、搬送された用紙Ｐ２の上側の面すなわち他面Ｂに、第２ドラム５１に巻装された製版済孔版原紙Ｍ２の画像を順次印刷する。
【００８８】
続いて排出装置８４が、印刷された他面Ｂを上面にした用紙Ｐ３を、一面Ａを吸引しながら順次排紙台６に搬送する。
【００８９】
次に他の実施形態の両面孔版印刷装置について説明する。本実施形態の両面孔版印刷装置は、上述した実施形態の両面孔版印刷装置１の搬入装置７４に、ファン７４ｃにより搬送ベルト７４ｂに吸引された用紙Ｐ２を剥離する剥離部材（剥離手段）７５をさらに備えたものである。図１２は、本実施形態の両面孔版印刷装置の貯留部４への用紙Ｐ２の搬入から搬出までの工程を説明する図である。なお図１２のクランプ部４１ｆは、便宜上図は異なっているが、上記実施形態のクランプ部４１ｆと同様の構造のものである。
【００９０】
剥離部材７５は、図１２に示す如く、用紙Ｐ２を吸引搬送する側の搬送ベルト７４ｂの近傍に配置され、図示しないモータにより回転される回転軸７５ａと、一端部が回転軸７５ａに接続されて回転軸７５ａの回転と共に回転する剥離爪７５ｂとから構成されている。この剥離部材７５による剥離動作は図示しない剥離制御部（剥離制御手段）によって制御されるものであり、この剥離動作について以下説明する。
【００９１】
図１２（ａ）に示す如く、用紙Ｐ２が搬入装置７４により吸引搬送され該用紙Ｐ２の下端中央が凹部４１ｄに挿入されて搬入位置Ｃ１に到達すると、図５に示す搬送ベルト４１ｂの移動により凹部４１ｄが搬入位置Ｃ１から搬出位置Ｃ２に向かって移動を開始し、この移動に連動してクランプ部４１ｆが閉動作を開始する。
【００９２】
そして搬送ベルト４１ｂが１ピッチ分移動して図１２（ｂ）に示すようにクランプ部４１ｆが閉状態となって用紙Ｐ２を把持すると、該把持と略同時に、搬入装置７４の搬送ベルト７４ｂを停止させると共に回転軸７５ａを回転させ、図１２（ｃ）に示すように剥離爪７５ｂによって用紙Ｐ２を搬送ベルト７４ｂから剥離する。
【００９３】
そして用紙Ｐ２が搬送ベルト７４ｂから剥離されると直ぐに、図１２（ｄ）に示す如く、回転軸７５ａを逆回転させ剥離爪７５ｂを用紙搬入の妨げにならない位置まで移動させ、搬入装置７４は次の用紙Ｐ２を搬入して凹部４１ｄに挿入し、図１２（ａ）から図１２（ｄ）に示す動作が繰り返される。
【００９４】
以上のような剥離動作を行うことにより、搬送ベルト７４ｂから用紙Ｐ２を確実に剥離することができるので、搬入装置７４により次回搬送すべき用紙Ｐ２が搬送されてきたときにこの次回の用紙Ｐ２と前回の用紙Ｐ２との衝突による跳ね返り等に起因する用紙Ｐ２の位置ズレを防止することができる。また次回の用紙Ｐ２の一面Ａが前回の用紙Ｐ２により擦られてしまうのを防止することもできる。これにより搬入装置７４による用紙Ｐ２の搬送を確実に安定して行うことができる。
【００９５】
またクランプ部４１ｆにより用紙Ｐ２の下端中央が把持されている状態で、剥離動作を行うので、搬送ベルト７４ｂから用紙Ｐ２を勢いよく剥離したとしても用紙Ｐ２の位置ズレを抑えることができる。なお図１２（ｂ）に示すようにクランプ部４１ｆが１ピッチ分移動して用紙Ｐ２の下端中央を把持したとき、搬入装置７４のファン７４ｃは回転しており用紙Ｐ２は搬送ベルト７４ｂに吸引されているので、用紙Ｐ２はクランプ部４１ｆに把持された下端中央が搬送ベルト７４ｂに吸引されている搬送方向の中央部よりも搬送ベルト４１ｂの移動方向下流側に湾曲することになるが、実際にはクランプ部４１ｆのピッチ距離は小さく形成されているので、この湾曲は僅かなものであり、用紙Ｐの搬送時に問題となる位置ズレを招来する可能性は低い。
【００９６】
なお上述した実施形態の両面孔版印刷装置１は上記構成としたが、本発明の両面印刷装置はこれに限られるものではなく、例えば装置ハウジング１０の上側に、原稿の画像を読み取るスキャナ部や、スキャナ部で読み取った原稿画像の画像データに基づいて生成された孔版画像データに基づいて孔版原紙を穿孔して製版を行う製版部等を備えていてもよい。
【００９７】
本発明の両面印刷装置は、上記実施形態に限定されるものではなく、本発明の趣旨を逸脱しない範囲において適宜変更可能である。
【図面の簡単な説明】
【００９８】
【図１】両面孔版印刷装置の概略構成図
【図２】図１の両面孔版印刷装置の要部詳細拡大図
【図３】図２のＡ−Ａ線断面図
【図４】図２の矢印Ｂ方向から見た上面図
【図５】図２の下端支持部の拡大詳細図
【図６】図２の要部拡大詳細斜視図
【図７】貯留部内での用紙の状態を示す図
【図８】第２の実施形態の下端支持部の側面図
【図９】第３の実施形態の下端支持部の側面図
【図１０】図８の下端支持部の他の動作状態を示す側面図
【図１１】図９の下端支持部の他の動作状態を示す側面図
【図１２】他の実施形態の両面孔版印刷装置の貯留部への用紙の搬入から搬出までの工程を説明する図
【符号の説明】
【００９９】
１        両面孔版印刷装置（両面印刷装）
１０      装置ハウジング
２        給紙台
３        第１の孔版印刷部（第１の印刷手段）
４        貯留部
４１、１４１、２４１  下端支持部（下端支持手段）
４１ｄ、１４１ｄ    凹部
４１ｆ    クランプ部
４２      カール付与部（カール付与手段）
４２ｂ    ガイド部材（カール付与手段）
４１、４２  保持機構
２４１ａ  ネジ棒
２４１ｄ  ネジ溝
５        第２の孔版印刷部（第２の印刷手段）
６        排紙台
７        第１の搬送部（第１の搬送手段）
８        第２の搬送部（第２の搬送手段）
７３ｃ、７４ｃ、８１ｃ、８４ｃ    ファン（吸引部）
Ｐ        用紙
【図１】
0005276365.tif 000002
【図２】
0005276365.tif 000003
【図３】
0005276365.tif 000004
【図４】
0005276365.tif 000005
【図５】
0005276365.tif 000006
【図６】
0005276365.tif 000007
【図７】
0005276365.tif 000008
【図８】
0005276365.tif 000009
【図９】
0005276365.tif 000010
【図１０】
0005276365.tif 000011
【図１１】
0005276365.tif 000012
【図１２】
0005276365.tif 000013